(57)【要約】【課題】愛玩動物にプライベートルームを与え、上質な癒しの空間を提供し、より豊かな人生を共に歩んでいける環境を提供すること。【解決手段】愛玩動物用プライベートルーム１は、愛玩動物のプライベート空間を形成し、プライベート空間５０を囲む壁部２０と、壁部２０の壁面側縁が固定され、壁部２０を支持する柱部１０と、を備え、柱部１０は、柱本体１１と、柱本体１１の長さ方向と垂直な方向に突出する直立固定部１２と、を有し、壁部２０の壁面の側縁は、柱部１０の直立固定部１２に当接した状態で直立固定される。【選択図】図２
2016073215.tif 000002
【特許請求の範囲】
【請求項１】
）  愛玩動物のプライベート空間を形成する愛玩動物用プライベートルームであって、
前記プライベート空間を囲む壁部と、
前記壁部の壁面側縁が固定され、前記壁部を支持する柱部と、を備え、
前記柱部は、柱本体と、前記柱本体の長さ方向と垂直な方向に突出する直立固定部と、を有し、
前記壁部の壁面の側縁は、前記柱部の前記直立固定部に当接した状態で直立固定される愛玩動物用プライベートルーム。
【請求項２】
前記プライベート空間に載置される床部を、更に備え、
前記柱部は、前記柱本体の下端に固定され、前記プライベート空間側に突出する柱床接続部を、更に有し、
前記床部は、平面視における前記プライベート空間の形状と略同一の形状で形成された床板と、前記床板を下方から支持する支持部と、を有し、
前記床板と前記支持部によって、前記柱部の前記柱床接続部と係合する柱床係合部が形成されている請求項１に記載の愛玩動物用プライベートルーム。
【請求項３】
前記壁部は、その下端において、前記プライベート空間側に突出する壁床接続部を、更に有し、
前記床板と前記支持部によって、前記壁部の前記壁床接続部と係合する壁床係合部が形成されている請求項２に記載の愛玩動物用プライベートルーム。
【発明の詳細な説明】
【技術分野】
【０００１】
本発明は、愛玩動物用プライベートルームに関し、詳しくは、愛玩動物のプライベート空間を形成する愛玩動物用プライベートルーム関する。
【背景技術】
【０００２】
近年、愛玩動物たちとの関わり方が大きく変化している。愛玩動物たちは家族の一員として大切に扱われ、例えば、犬であれば、番犬としてではなく、心の癒しとして室内において同居するようになっている。
また、核家族化や高齢化に伴い、ますます愛玩動物たちを家族として迎えいれる家庭が増えている。
【０００３】
室内において、愛玩動物とともにすごす場合において、愛玩動物のスペースを確保するために、例えば、複数のパネルを互いに連結して形成したサークル本体の内部空間が仕切体によって仕切られ、住居スペースとトイレスペースに区画されたペット用サークルが提案されている（特許文献１）。
このペット用サークルによれば、サークル内部を住居スペースとトイレスペースとに区画したので、使い勝手がよく、ペットが快適に過ごすことができる。
【先行技術文献】
【特許文献】
【０００４】
【特許文献１】特開２００９−１１３２５号公報
【発明の概要】
【発明が解決しようとする課題】
【０００５】
ところで、愛玩動物も動物であるため、室内においても、縄張りの場所を作ってあげることが必要である。散歩をするとき、必ず自分の縄張りの場所におしっこをかけるように、室内で飼う際も、自分の縄張りの場所だと認識出来る空間を作ってあげることが必要である。このような空間が無いと、愛玩動物はかなりのストレスを溜め込んでしまう。
【０００６】
また、現在、ストレスによる発病率が高くなることもデータとして信憑性が増している。例えば、愛玩動物の一例である愛犬の死因の約５割を占める病気の中で最も多い癌も、ストレスがかかることでより発病しやすくなることもわかってきている。上記のようなことからも、家族の一員である愛玩動物とより長く人生を共に歩んでいくためには、快適なプライベートルームが必要不可欠である。
【０００７】
しかしながら、特許文献１のペット用サークルは、従来、室外にあった犬小屋とトイレスペースを、室内に移したものに過ぎず、家族として迎えいれた愛玩動物のプライベートスペースを形成するものとしては不十分であった。
【０００８】
本発明は、愛玩動物にプライベートルームを与え、上質な癒しの空間を提供し、より豊かな人生を共に歩んでいける環境を提供することを目的とする。
【課題を解決するための手段】
【０００９】
（１）  愛玩動物のプライベート空間を形成する愛玩動物用プライベートルームであって、
前記プライベート空間を囲む壁部と、
前記壁部の壁面側縁が固定され、前記壁部を支持する柱部と、を備え、
前記柱部は、柱本体と、前記柱本体の長さ方向と垂直な方向（水平方向）に突出する直立固定部と、を有し、
前記壁部の壁面の側縁は、前記柱部の前記直立固定部に当接した状態で直立固定される愛玩動物用プライベートルーム。
【００１０】
（１）の発明によれば、愛玩動物用プライベートルームは、愛玩動物のプライベート空間を形成し、壁部と、柱部と、を備える。
壁部は、プライベート空間を囲み、壁面を有する。
柱部は、柱本体と、柱本体の長さ方向と垂直な方向（水平方向）に突出する直立固定部と、を有する。
そして、壁部は、壁面の側縁が、柱部の直立固定部に当接した状態で直立固定される。
【００１１】
これにより、愛玩動物のプライベート空間を、人間のプライベート空間である家と同様に、壁部と、柱部と、で形成したので、従来のように犬小屋の延長でパネルの組み合わせで形成した場合に比べ、上質な癒しの空間となる愛玩動物のプライベートルームを提供できる。
したがって、愛玩動物にプライベートルームを与え、上質な癒しの空間を提供し、より豊かな人生を共に歩んでいける環境を提供できる。
【００１２】
また、例えば、柱部の直立固定部を装飾することで、より上質な外観となり、これにともない、このような柱部により形成されるプライベート空間もより上質な癒しの空間となる。
【００１３】
更に、（１）の発明によれば、柱部に直立固定部を設け、壁部の壁面を柱部の直立固定部に当接した状態で直立固定する。このため、愛玩動物用プライベートルームの組立者は、壁部の壁面を、直立固定部に当接させるだけで、柱部に対する壁部の位置決めができるから、寸法を測り、墨を出して、この墨に壁部を合わせて組み立てる場合に比べ、組み立て作業が容易となる。
【００１４】
また、しっかりとした構造体となる柱部を設けることで、例えば、この柱部に門扉を支持させることもできる。この門扉は、柱部に支持させることで、重量が比較的重くなっても設置可能となる。このため、ユーザは、愛玩動物用プライベートルームが設置される部屋のインテリアの一部となるデザイン等の幅広い選択肢の中から門扉を選択することも可能となる。
【００１５】
また、同様に、壁部は、しっかりとした構造体となる柱部に支持させることで、重量が比較的重くなっても設置可能となる。このため、ユーザは、愛玩動物用プライベートルームが設置される部屋のインテリアの一部となるデザイン等の幅広い選択肢の中から壁部の仕上げ材を選択することも可能となる。
【００１６】
（２）  前記プライベート空間に載置される床部を、更に備え、
前記柱部は、前記柱本体の下端に固定され、前記プライベート空間側に突出する柱床接続部を、更に有し、
前記床部は、平面視における前記プライベート空間の形状と略同一の形状で形成された床板と、前記床板を下方から支持する支持部と、を有し、
前記床板と前記支持部によって、前記柱部の前記柱床接続部と係合する柱床係合部が形成されている（１）に記載の愛玩動物用プライベートルーム。
【００１７】
（２）の発明によれば、愛玩動物用プライベートルームは、プライベート空間に載置される床部を、更に備える。
柱部は、柱本体の下端に固定され、プライベート空間側に突出する柱床接続部を、更に有する。
床部は、床板と、支持部と、を有する。
床板は、平面視におけるプライベート空間の形状と略同一の形状で形成されている。
支持部は、床板を下方から支持し、その側縁において、柱部の柱床接続部と係合する柱床係合部が形成されている。
【００１８】
ここで、室内で一緒に生活をしている愛玩動物たちにとっては、人間の生活空間では生活しにくいのが一般的である。特に小型犬にとっては足腰に負担がかかる場所がたくさんある。そこで、例えば、床板に、クッションフロアやカーペット等の愛玩動物の足腰の負担を軽減する素材を敷設することで、素敵な空間を演出できるとともに、愛玩動物に優しいプライベートルームを提供できる。
【００１９】
また、柱部は、プライベート空間側に突出する柱床接続部が、床部に形成された柱床係合部と係合する。これにより、柱部は下端が床部の重量により固定されるので、柱部が転倒するのを防止できる。
【００２０】
（３）前記壁部は、その下端において、前記プライベート空間側に突出する壁床接続部を、更に有し、
前記床板と前記支持部によって、前記壁部の前記壁床接続部と係合する壁床係合部が形成されている（２）に記載の愛玩動物用プライベートルーム。
【００２１】
（３）の発明によれば、壁部は、プライベート空間側に突出する壁床接続部が、床板の下方に形成された壁床係合部と係合する。これにより、壁部は下端が床部の重量により固定されるので、壁部が転倒するのを防止できる。
【発明の効果】
【００２２】
本発明によれば、愛玩動物にプライベートルームを与え、上質な癒しの空間を提供し、より豊かな人生を共に歩んでいける環境を提供できる。
【図面の簡単な説明】
【００２３】
【図１】本発明の実施形態に係る愛玩動物用プライベートルーム１の使用例を示す写真である。
【図２】本発明の実施形態に係る愛玩動物用プライベートルーム１の正面側斜視図である。
【図３】図２の実施形態に係る愛玩動物用プライベートルーム１の背面側斜視図である。
【図４】図２の実施形態に係る柱部１０の斜視図である。
【図５】床部３０を裏側から視た図である。
【図６】図３に示す例の左背面側の柱部１０近傍の平面図である。
【図７】支持部３２における柱床係合部３２１を説明する図である。（ａ）は、図６に示すＡＡ’断面図である。（ｂ）は、（ａ）に示す断面図の状態から柱部１０と床部３０とを離した状態を示す図である。
【図８】支持部３２における壁床係合部３２２を説明する図である。（ａ）は、図６に示すＢＢ’断面図である。（ｂ）は、（ａ）に示す断面図の状態から柱部１０と壁部２０とを離した状態を示す図である。
【発明を実施するための形態】
【００２４】
以下、本発明の実施形態を図面に基づいて説明する。
図１は、本発明の実施形態に係る愛玩動物用プライベートルーム１の使用例を示す写真である。
愛玩動物用プライベートルーム１は、愛玩動物のプライベート空間を形成し、その外観がインテリアとしても機能しつつ、愛玩動物と人間にとって上質な癒しの空間となり、より豊かな人生を共に歩んでいける環境を提供するものである。
【００２５】
図２は、本発明の実施形態に係る愛玩動物用プライベートルーム１の正面側斜視図である。
図３は、本発明の実施形態に係る愛玩動物用プライベートルーム１の背面側斜視図である。
愛玩動物用プライベートルーム１は、複数の柱部１０と、互いに隣接する柱部１０の間に配置された壁部２０と、柱部１０及び壁部２０に囲まれたプライベート空間５０に載置される床部３０と、正面側に配置された互いに隣接する柱部１０の間に配置された門扉４０と、を備える。
【００２６】
図４は、前記実施形態に係る柱部１０の斜視図である。
柱部１０は、柱本体１１と、直立固定部１２と、を備え、壁部２０（図３参照）壁面の側縁が固定され、壁部２０を支持する。柱部１０は、また、柱床接続部１３と、頂部１４と、を備える。
【００２７】
柱本体１１は、平面視の断面形状が略正四角形に形成され、床から上方に立設している。
直立固定部１２は、柱本体１１の周方向に形成される帯状態であり、柱本体１１の表面から、柱本体の長さ方向と垂直な方向（水平方向）に突出している。帯状体は、その一部が切り欠かれている。詳細には、直立固定部１２は、柱本体１１の互いに隣接する２面において、一方の面の略中央から他方の面の略中央までの範囲で、帯状体が切り欠かれ、壁部２０（図３参照）に対面する端面１２１が形成されている。
また、直立固定部１２は、出隅が面取りされ、上下方向において、所定間隔で複数段配置されている。
【００２８】
柱床接続部１３は、柱本体１１の下端に固定され、プライベート空間５０（図３参照）側に突出する。詳細には、柱床接続部１３は、柱本体１１において、直立固定部１２の端面１２１が形成された互いに隣接する２面の下端に設けられ、各面に直交する方向に突出している。
なお、本実施形態において、柱床接続部１３は、柱本体１１の互いに隣接する２面からそれぞれ突出する態様で設けているが、これに限らず、これらを一体、即ち、平面視でＬ字形状に形成してもよい。
【００２９】
頂部１４は、柱本体１１の上部に形成され、プライベート空間５０（図２又は図３参照）を外部から視たときに、直立固定部１２と同様の形状で形成された頂部本体１４１と、頂部本体１４１の上面に形成定され、外形が異なる複数の板材が重ねられた装飾部１４２と、を備える。複数の板材は、本実施形態においては３枚存在し、３枚の板材のうち、１番下の板材の外形は頂部本体１４１の平面視外形よりも小さく、２番目の板材は１番下の板材の外形よりも小さく、３番目（一番上）の板材は２番目の板材よりも外形が小さくなっている。
なお、頂部１４は、任意の形状とすることができる。また、頂部１４は、装飾部１４２の代わりに、装飾金物を設けたり、電灯を設けたり、鉢植えを載置してもよい。
【００３０】
なお、本実施形態において、柱部１０は、平面視で略正四角形に形成しているが、これに限らない。
【００３１】
図３に戻って、壁部２０は、壁本体２１と、笠木２２と、壁床接続部２３（図８参照）と、を備える。
壁本体２１は、プライベート空間５０に対面する面と反対側に、外壁面２１１を有し、外壁面２１１の側縁が、柱部１０の直立固定部１２の端面１２１（図４参照）に当接した状態で、柱部１０に固定される。そして、壁本体２１の端部は、柱本体１１に当接している。壁本体２１は、塗装、クロス、装飾物等の任意の仕上げ材で表面を仕上げることができる。
【００３２】
笠木２２は、壁本体２１の上面に固定された板状体２２１と、板状体２２１の上面に固定された装飾柵２２２と、を備える。
なお、笠木２２は、任意の形状とすることができる。また、笠木２２は、装飾柵２２２の代わりに、電灯を設けたり、鉢植えを載置したりしてもよい。
壁床接続部２３（図８参照）については、後述する。
【００３３】
図５は、床部３０を裏側から視た図である。
床部３０は、床板３１と、支持部３２と、を有する。
床板３１は、平面視におけるプライベート空間５０（図３参照）の形状と略同一の形状で形成されている。床板３１は、その上面にクッションフロアやカーペット等の任意の仕上げ材が敷設される。
支持部３２は、床板３１を下方から支持し、複数の側縁支持部材３３と、複数の内側支持部材３４と、を備える。
【００３４】
複数の側縁支持部材３３は、床板３１の正面から背面に延びる１対の側縁と、床板３１の左右に延びる１対の側縁と、の各側縁に沿って夫々配置されている。
複数の内側支持部材３４は、側縁支持部材３３より内側に配置されている。
【００３５】
図６は、図３に示す例の左背面側の柱部１０近傍の平面図である。
図７は、支持部３２における柱床係合部３２１を説明する図である。（ａ）は、図６に示すＡＡ’断面図である。（ｂ）は、（ａ）に示す断面図の状態から柱部１０と床部３０とを離した状態を示す図である。なお、図７では、紙面奥方向にも壁部２０が存在するが、図示を省略している。
【００３６】
図７に示すように、側縁支持部材３３は、柱部１０に近接する床板３１の隅において、柱部１０の柱床接続部１３の突出した幅の分だけ、床板３１の端部から乖離した位置に、その端面が配置され、床板３１の側縁とで柱床係合部３２１を形成する。
柱床係合部３２１は、柱部１０の柱床接続部１３と係合する。
【００３７】
図８は、支持部３２における壁床係合部３２２を説明する図である。（ａ）は、図６に示すＢＢ’断面図である。（ｂ）は、（ａ）に示す断面図の状態から柱部１０と壁部２０とを離した状態を示す図である。なお、図８では、紙面奥方向にも柱部１０と壁部２０が存在するが、図示を省略している。
【００３８】
ここで、図８に示すように、壁部２０の壁床接続部２３は、壁本体２１の下端に固定され、プライベート空間５０（図２又は図３参照）側に突出する。詳細には、壁床接続部２３は、壁本体２１において、プライベート空間５０に対面する面の下端に設けられ、この面に直交する方向に突出している。
【００３９】
床部３０の説明に戻って、複数の側縁支持部材３３は、夫々、床板３１の側縁から内側に、壁部２０の壁床接続部２３の突出した幅の分だけ、床板３１の端部から乖離した位置に、その側面が配置され、床板３１の側縁とで壁床係合部３２２を形成する。
壁床係合部３２２は、壁部２０の壁床接続部２３と係合する。
【００４０】
図２に戻って、門扉４０は、互いに隣接する柱部１０に固定され、開閉することで、プライベート空間５０の出入りを可能とする。
なお、門扉４０は、図１や図２に示すデザインに限らず、任意のデザインとすることができる。また、本実施形態において、門扉４０は、両開きの例を示しているが、これに限らず、片開き等にしてもよい。
【００４１】
次に、愛玩動物用プライベートルーム１の組み立て方法について説明する。
まず、組立者は、それぞれの部品が取り付けられた柱部１０、壁部２０、床部３０及び門扉４０を愛玩動物用プライベートルーム１の設置場所に搬入し、所定位置に床部３０を配置する。
そして、組立者は、床部３０の柱床係合部３２１に柱部１０の柱床接続部１３を係合させ、床部３０の壁床係合部３２２に壁部２０の壁床接続部２３を係合させ、壁部２０の外壁面２１１を、柱部１０の直立固定部１２の端面１２１に当接させてから、壁部２０を柱部１０に固定する。
その後、組立者は、柱部１０に門扉４０を固定し、必要に応じて仕上げ工程を行う。
【００４２】
上記実施形態によれば、愛玩動物用プライベートルーム１は、以下の作用効果を奏する。
愛玩動物のプライベート空間５０を、人間のプライベート空間である家と同様に、壁部２０と、柱部１０と、で形成したので、従来のように犬小屋の延長でパネルの組み合わせで形成した場合に比べ、上質な癒しの空間となる愛玩動物のプライベートルームを提供できる。
したがって、愛玩動物にプライベートルームを与え、上質な癒しの空間を提供し、より豊かな人生を共に歩んでいける環境を提供できる。
【００４３】
また、柱部１０に直立固定部１２を設け、壁部２０を、その外壁面２１１を柱部１０の直立固定部１２に当接した状態で固定する。このため、愛玩動物用プライベートルーム１の組立者は、壁部２０の外壁面２１１を、直立固定部１２に当接させるだけで、柱部１０に対する壁部２０の位置決めができ、寸法を測り、墨を出して、この墨に壁部を合わせて組み立てる場合に比べ、組み立て作業が容易となる。
【００４４】
また、構造体となる柱部１０を設けることで、この柱部１０に門扉４０を支持させることができる。この門扉４０は、柱部１０に支持させることで、重量が比較的重くなっても設置可能となる。このため、ユーザは、愛玩動物用プライベートルーム１が設置される部屋のインテリアの一部となるデザイン等の幅広い選択肢の中から門扉４０を選択することが可能となる。
【００４５】
また、同様に、壁部２０は、構造体となる柱部１０に支持させることで、重量が比較的重くなっても設置可能となる。このため、ユーザは、愛玩動物用プライベートルーム１が設置される部屋のインテリアの一部となるデザイン等の幅広い選択肢の中から壁部２０の仕上げ材を選択することも可能となる。
【００４６】
また、柱部１０は、プライベート空間５０側に突出する柱床接続部１３が、床板３１の下方に形成された柱床係合部３２１と係合する。これにより、柱部１０は下端が床部３０の重量により固定されるので、柱部１０が転倒するのを防止できる。
【００４７】
また、壁部２０は、プライベート空間５０側に突出する壁床接続部２３が、床板３１の下方に形成された壁床係合部３２２と係合する。これにより、壁部２０は下端が床部３０の重量により固定されるので、壁部２０が転倒するのを防止できる。
【００４８】
なお、本発明は前記実施形態に限定されるものではなく、本発明の目的を達成できる範囲での変形、改良等は本発明に含まれるものである。
【符号の説明】
【００４９】
１      愛玩動物用プライベートルーム
１０    柱部
１１    柱本体
１２    直立固定部
１２１  端面
１３    柱床接続部
１４    頂部
１４１  頂部本体
１４２  装飾部
２０    壁部
２１    壁本体
２１１  垂直面
２２    笠木
２２１  板状体
２２２  装飾柵
２３    壁床接続部
３０    床部
３１    床板
３２    支持部
３３    側縁支持部材
３４    内側支持部材
３２１  柱床係合部
３２２  壁床係合部
４０    門扉
５０    プライベート空間
【図１】
2016073215.tif 000003
【図２】
2016073215.tif 000004
【図３】
2016073215.tif 000005
【図４】
2016073215.tif 000006
【図５】
2016073215.tif 000007
【図６】
2016073215.tif 000008
【図７】
2016073215.tif 000009
【図８】
2016073215.tif 000010